(57)【特許請求の範囲】
【請求項１】
表示部と、操作者により操作される入力部と、コードの読み取り動作を行なうコード読み取り部と、前記コード読み取り部を動作させるトリガーキーとを備え、前記入力部を操作することにより情報を入力するとともに、前記トリガーキーの操作に基づいて前記コード読み取り部によりコード情報を入力する、スキャナを備えた携帯型入力装置において、
前記表示部および前記入力部を装置上面に有し、前記コード読み取り部を装置前面に有し、さらに、前記トリガーキーを装置上面および両側面に一体的に設けたことを特徴とするスキャナを備えた携帯型入力装置。
【請求項２】
装置上面および両側面に設けられた前記トリガーキーの接点を内側に有し、前記接点と対向する第２の接点を有するフレキシブル基板を備えることを特徴とする請求項１に記載のスキャナを備えた携帯型入力装置。
【請求項３】
前記装置上面および両側面にそれぞれ配置された前記トリガーキーの第１の押下部と第２の押下部とを一体的に有する押下手段と、
前記押下手段による押下動作に基づいて、接点のオンオフ動作を行なう接点手段と、
前記接点手段を装着する装着手段と、
前記第１の押下部に対応する第１の開孔部と前記第２の押下部に対応する第２の開孔部とを有し、前記第１の押下部を前記第１の開孔部にはめ込み、前記第２の押下部を前記第２の開孔部にはめ込むことにより、前記トリガーキーを前記装着手段に固定する固定手段とを備え、
前記固定手段を周囲と異なった材質にて区分したことを特徴とする請求項１または２に記載のスキャナを備えた携帯型入力装置。
【発明の詳細な説明】
【０００１】
【発明の属する技術分野】
本発明は入力装置に関し、特に、携帯型スキャナなどに設けられているトリガーキーに関するものである。
【０００２】
【従来の技術】
従来のスキャナやスキャナ一体型携帯端末装置には、スキャナのトリガー動作を行うトリガーキーが機種によって異なる位置に設けられているものがあり、トリガーキーが設けられている位置を変えることにより、オペレータの様々な操作方法に対処するようにしていた。
【０００３】
図５（Ａ）は、トリガーキーが上面部に設けられているスキャナ一体型携帯端末装置の概略構成を示す斜視図である。
図５（Ａ）において、カバー７１には、入力キー７２、トリガーキー７３、スキャナ読み取り口７４及び液晶表示パネル７５が取り付けられている。そして、トリガーキー７３を押下することにより、内部に設けられたレーザ装置からスキャナ読み取り口７４を介してレーザ光が出射され、そのレーザ光の反射光を検出することにより、情報の読み取りが行われる。スキャナ読み取り口７４を介して読み取られた情報は、内部の記憶装置に格納されたり、液晶表示パネル７５に表示されたりする。なお、キー操作により情報を直接入力する場合、入力キー７２を押下することにより行う。
【０００４】
図５（Ｂ）は、図５（Ａ）のＺ−Ｚ線で切断した断面図である。
図５（Ｂ）において、トリガーキー７３はスカート部７６を介してキー保持部７７に接続され、プリント基板７８上に保持されている。キー保持部７７はカバー７１に覆われ、トリガーキー７３はカバー７１の開孔部に配置されている。トリガーキー７３の裏面上には接点７９が設けられるとともに、プリント基板７８上には接点８０が設けられ、接点７９と接点８０とは互いに対向するように配置されている。
【０００５】
トリガーキー７３、スカート部７６及びキー保持部７７は、ゴムなどの弾性材料により一体的に形成されており、通常の状態では、接点７９と接点８０との間に隙間が空くようにトリガーキー７３が保持される。そして、トリガーキー７３を上から押下することにより、スカート部７６が湾曲し、接点７９と接点８０とが接触する。接点７９と接点８０とが接触すると、図５（Ａ）のスキャナ一体型携帯端末装置に設けられているスキャナにトリガーがかかり、スキャナ読み取り口７４を介して情報の読み取りが行われる。
【０００６】
なお、図５のスキャナ一体型携帯端末装置は、装置全体を片手で保持しながら人指し指でトリガーキー７３を押下して使用する場合に有用なものである。
図６（Ａ）は、トリガーキーが両側面部に設けられているスキャナ一体型携帯端末装置の概略構成を示す斜視図である。
【０００７】
図６（Ａ）において、カバー９１には、入力キー９２、トリガーキー９３、９４、スキャナ読み取り口９５及び液晶表示パネル９６が取り付けられている。そして、トリガーキー９３またはトリガーキー９４を押下することにより、内部に設けられたレーザ装置からスキャナ読み取り口９５を介してレーザ光が出射され、そのレーザ光の反射光を検出することにより、情報の読み取りが行われる。スキャナ読み取り口９５を介して読み取られた情報は、内部の記憶装置に格納されたり、液晶表示パネル９６に表示されたりする。なお、キー操作により情報を直接入力する場合、入力キー９２を押下することにより行う。
【０００８】
図６（Ｂ）は、図６（Ａ）のＵ−Ｕ線で切断した断面図である。
図６（Ｂ）において、トリガーキー９４は、例えば、ゴムやＡＢＳ樹脂などの材料により形成され、カバー９４の側面に設けられた開孔部に配置されている。トリガーキー９４の裏側にはキーユニットが設けられ、通常の状態では、キーユニット９７のスイッチがオフとなるように配置される。そして、トリガーキー９４を上から押下することにより、キーユニット９７のスイッチがオンとなり、このオンの状態がコードを介してスキャナに伝えられてスキャナにトリガーがかかり、図６（Ａ）のスキャナ読み取り口９５を介して情報の読み取りが行われる。
【０００９】
トリガーキー９３についても、トリガーキー９４のキーユニット９７とは別個のキーユニットが備えられている。
なお、図６のスキャナ一体型携帯端末装置は、右利きの人の場合、装置全体を右手で保持しながら親指でトリガーキー９４を押下し、左利きの人の場合、装置全体を左手で保持しながら親指でトリガーキー９３を押下して使用する場合に有用なものである。
【００１０】
さらに、従来のスキャナ一体型携帯端末装置には、上からの操作と左右からの操作とのどちらにも対応可能とするために、図５のトリガーキー７３とプリント基板７８とを装置の上面部に備えるとともに、図６のトリガーキー９４とキーユニット９７とを装置の側面部に備えるものもあった。
【００１１】
【発明が解決しようとする課題】
しかしながら、従来のスキャナやスキャナ一体型携帯端末装置は、上からの操作や左右からの操作など様々な方向からの操作に対応可能となるようにした場合、１つの装置に複数個のトリガーキーやキーユニットを必要とするという問題があり、装置の小型軽量化の妨げになっていた。特に、スキャナ一体型携帯端末装置では、この問題は顕著となっていた。
【００１２】
そこで、本発明の目的は、簡単な構成で複数の方向からの操作に対応可能な入力装置を提供することである。
【００１３】
【課題を解決するための手段】
上述した課題を解決するために、本発明は、表示部と、操作者により操作される入力部と、コードの読み取り動作を行なうコード読み取り部と、前記コード読み取り部を動作させるトリガーキーとを備え、前記入力部を操作することにより情報を入力するとともに、前記トリガーキーの操作に基づいて前記コード読み取り部によりコード情報を入力する、スキャナを備えた携帯型入力装置において、前記表示部および前記入力部を装置上面に有し、前記コード読み取り部を装置前面に有し、さらに、前記トリガーキーを装置上面および両側面に一体的に設けたことを特徴とするものである。
【００１４】
このことにより、装置上面および両側面に一体的に設けられたトリガーキーによって、複数の方向（上面および両側面）からの押下が可能となるともに、その押下によるオンオフ情報に基づいてスキャナにトリガーをかけることが可能となり、より一層の装置の小型軽量化を可能とすることができる。
【００１５】
また、本発明の一態様によれば、装置上面および両側面に設けられた前記トリガーキーの接点を内側に有し、前記接点と対向する第２の接点を有するフレキシブル基板を備える。このことにより、フレキシブル基板を曲げることによって、複数の方向（装置上面および両側面）のいずれの方向からも押下可能とし、その押下によるオンオフ情報に基づいてスキャナにトリガーをかけることを簡単な構成で達成することができる。
【００１８】
また、本発明の一態様によれば、装置上面および両側面にそれぞれ配置されたトリガーキーの第１の押下部と第２の押下部とを一体的に有し、第１の押下部を第１の開孔部にはめ込み、第２の押下部を第２の開孔部にはめ込むことによりトリガーキーを装着手段に固定する固定手段を備えている。このことにより、トリガーキーを装着手段に確実に装着することができ、トリガーキーが装着手段から剥がれ落ちたりすることを防止できる。
【００２０】
【発明の実施の形態】
以下、本発明の実施例に係わるスキャナ一体型携帯端末装置について図面を参照しながら説明する。
【００２１】
図１は、本発明の第１実施例に係わるスキャナ一体型携帯端末装置の概略構成を示す斜視図である。
図１において、ゴムなどの弾性材料で形成されたシート状のキー保持部２には、入力キー３及びトリガーキー４、５、６が一体的に形成されている。カバー１には、スキャナ読み取り口７及び液晶表示パネル８が取り付けられるとともに、入力キー３及びトリガーキー４がカバー１の上面部に取り付けられている。さらに、キー保持部２を直角に折り曲げることにより、トリガーキー５がカバー１の一側面に取り付けられるとともに、トリガーキー６がカバー１の他の一側面に取り付けられている。
【００２２】
そして、トリガーキー４、５、６のいずれかを押下することにより、内部に設けられたレーザ装置からスキャナ読み取り口７を介してレーザ光が出射され、そのレーザ光の反射光を検出することにより、情報の読み取りが行われる。スキャナ読み取り口７を介して読み取られた情報は、内部の記憶装置に格納されたり、液晶表示パネル８に表示されたりする。なお、キー操作により情報を直接入力する場合、入力キー３を押下することにより行う。
【００２３】
以上説明したように、本発明の第１実施例に係わるスキャナ一体型携帯端末装置によれば、トリガーキー４、５、６をシート状のキー保持部２に一体的に形成し、キー保持部２を折り曲げてカバー１に取り付けるようにしたので、上からの押下や左右からの押下など複数の方向からの押下により、スキャナに対してトリガをかけることができ、装置の小型軽量化を行うことが可能となる。また、入力キー３もトリガーキー４、５、６とともにシート状のキー保持部２に一体成形することにより、より一層の小型軽量化が可能となる。
【００２４】
図２（Ａ）は、本発明の第２実施例に係るスキャナ一体型携帯端末装置の概略構成を示す斜視図である。
図２（Ａ）において、ゴムなどの弾性材料で形成されたシート状のキー保持部１２には、トリガーキー１４、１６がそれぞれスカート部１３、１５を介して一体成形により形成されている。キー保持部１２は、トリガーキー１４とトリガーキー１６との境界で直角に折れ曲がっており、カバー１１の上面部には、トリガーキー１４が取り付けられるとともに、カバー１１の一側面部には、トリガーキー１６が取り付けられている。そして、トリガーキー１４、１６のいずれかを押下することにより、内部に設けられたスキャナにトリガがかかり、情報を読み取ることが可能となる。
【００２５】
図２（Ｂ）は、図２（Ａ）のＸ−Ｘ線で切断した断面図である。
図２（Ｂ）において、トリガーキー１４はスカート部１３を介してキー保持部１２に接続されるとともに、トリガーキー１６はスカート部１５を介してキー保持部１２に接続されている。さらに、トリガーキー１４の裏面上には接点１８が設けられるとともに、トリガーキー１６の裏面上には接点２０が設けられている。フレキシブル基板１７上には接点１９、２１が設けられ、フレキシブル基板１７の接点１９はトリガーキー１４の接点１８と対向して配置され、フレキシブル基板１７の接点２１はトリガーキー１６の接点２０と対向して配置されている。
【００２６】
トリガーキー１４及びフレキシブル基板１７の接点１９の領域は、カバー１１の上面部に取り付けられ、トリガーキー１６及びフレキシブル基板１７の接点２１の領域は、キー保持部１２及びフレキシブル基板１７を直角に折り曲げることにより、カバー１１の一側面部に取り付けられている。
【００２７】
そして、通常の状態では、接点１８と接点１９との間に隙間が空くように、トリガーキー１４がスカート部１３を介して保持されるとともに、接点２０と接点２１との間に隙間が空くように、トリガーキー１６がスカート部１５を介して保持される。
【００２８】
この状態で、上からの操作によりスキャナにトリガーをかける場合、トリガーキー１４を上から押下することにより、スカート部１３が湾曲し、接点１８と接点１９とが接触する。接点１８と接点１９とが接触すると、スキャナにトリガーがかかり、情報の読み取りが行われる。
【００２９】
また、横からの操作によりスキャナにトリガーをかける場合、トリガーキー１６を横から押下することにより、スカート部１５が湾曲し、接点２０と接点２１とが接触する。接点２０と接点２１とが接触すると、スキャナにトリガーがかかり、情報の読み取りが行われる。
【００３０】
以上説明したように、本発明の第２実施例に係わるスキャナ一体型携帯端末装置によれば、トリガーキー１４、１６をシート状のキー保持部１２に一体的に形成するとともに、トリガーキー１４に対する接点１９とトリガーキー１６に対する接点２１とを同一のフレキシブル基板１７上に形成し、キー保持部１２とフレキシブル基板１７とを折り曲げてカバー１１に取り付けることにより、上からの押下や横からの押下など複数の方向からの押下が可能となるとともに、その押下によってスキャナに対してトリガをかけることができ、装置の小型軽量化をより一層促進することが可能となる。
【００３１】
図３（Ａ）は、本発明の第３実施例に係るスキャナ一体型携帯端末装置の概略構成を示す斜視図である。
図３（Ａ）において、折り曲げ可能なシート３２には、ドーム状に成形されたトリガーキー３３、３４が一体的に形成され、メンブレンキーに積層されている。このメンブレンキーに積層されたトリガーキー３３の部分は、カバー３１の上面部に取り付けられるとともに、シート３２を直角に折り曲げることにより、メンブレンキーに積層されたトリガーキー３４の部分が、カバー３１の一側面部に取り付けられている。そして、トリガーキー３３、３４のいずれかを押下することにより、メンブレンキーに設けられた接点がオンし、内部に設けられたスキャナにトリガがかかり、情報を読み取ることが可能となる。
【００３２】
図３（Ｂ）は、図３（Ａ）のＹ−Ｙ線で切断した断面図である。
図３（Ｂ）において、折り曲げ可能なシート３２の所定の領域をドーム状に成形することにより、シート３２にトリガーキー３３、３４が形成される。シート３５の下面には接点３７、３９が設けられ、シート３６の上面には接点３８、４０が設けられている。そして、シート３５とシート３６とは、シート３５とシート３６との間に隙間が空くように保持され、シート３５の接点３７とシート３６の接点３８とは対向して配置され、シート３５の接点３９とシート３６の接点４０とが対向して配置される。
【００３３】
また、シート３２はシート３５の上面に積層され、シート３２のトリガーキー３３が接点３７、３８に対応して配置され、シート３２のトリガーキー３４が接点３９、４０に対応して配置される。
【００３４】
トリガーキー３３及び接点３７、３８は、カバー３１の上面部に取り付けられ、トリガーキー３４及び接点３９、４０は、シート３２、３５、３６を直角に折り曲げることにより、カバー３１の一側面部に取り付けられている。
【００３５】
そして、上からの操作によりスキャナにトリガーをかける場合、トリガーキー３３を上から押下することにより、トリガーキー３３がへこみ、シート３５の接点３７の部分がたわむことによって、接点３７と接点３８とが接触する。接点３７と接点３８とが接触すると、スキャナにトリガーがかかり、情報の読み取りが行われる。
【００３６】
また、横からの操作によりスキャナにトリガーをかける場合、トリガーキー３４を横から押下することにより、トリガーキー３４がへこみ、シート３５の接点３９の部分がたわむことによって、接点３９と接点４０とが接触する。接点３９と接点４０とが接触すると、スキャナにトリガーがかかり、情報の読み取りが行われる。
【００３７】
以上説明したように、本発明の第３実施例に係わるスキャナ一体型携帯端末装置によれば、ドーム状に成形されたトリガーキー３３、３４をシート３２上に一体的に形成し、接点３７、３９をシート３５上に形成し、接点３８、４０をシート３６上に形成し、シート３２、３５、３６を重ねた状態で折り曲げてカバー３１に取り付けるようにしたので、上からの押下や横からの押下など複数の方向からの押下が可能となるとともに、その押下によってスキャナに対してトリガをかけることができ、装置の小型軽量化をより一層促進することが可能となる。
【００３８】
図４は、本発明の第４実施例に係るスキャナ一体型携帯端末装置の概略構成を示す分解図である。
図４において、フレキシブル基板５３上には接点５４、５５が設けられ、フレキシブル基板５３の接点５４の領域は、液晶表示パネル５２が取り付けられているカバー５１の上面部に取り付けられ、フレキシブル基板５３の接点５５の領域は、フレキシブル基板５３を直角に折り曲げることにより、カバー５１の一側面部に取り付けられている。
【００３９】
ゴムなどの弾性材料で形成されたシート状のキー保持部５６には、トリガーキー５７がスカート部５８を介して接続されるとともに、トリガーキー５９がスカート部６０を介して接続され、トリガーキー５７、５９の裏面上には接点が設けられている。
【００４０】
パネル６１は、樹脂や金属などの硬質材料により所定の形状に成形されており、パネル６１の上面部には、トリガーキー５７のはめ込み可能な開孔部６２が形成され、パネル６１の側面部には、トリガーキー５９のはめ込み可能な開孔部６３が形成されている。ここで、開孔部６２は、パネル６１でスカート部５８を完全に覆うことのできる大きさとすることが望ましく、開孔部６３は、パネル６１でスカート部６０を完全に覆うことのできる大きさとすることが望ましい。これは、スカート部５８、６０をパネル６１で覆うことにより、スカート部５８、６０を保護し、トリガーキー５７、５９の使用寿命を伸ばすためである。
【００４１】
そして、トリガーキー５７は、パネル６１の開孔部６２にはめ込まれ、トリガーキー５９は、キー保持部５６を直角に折り曲げることにより、パネル６１の開孔部６３にはめ込まれる。ここで、パネル６１とキー保持部５６との結合を強くするため、パネル６１とキー保持部５６とを接着剤や両面テープなどで固定することが望ましい。
【００４２】
トリガーキー５７、５９をはめ込まれたパネル６１は、カバー５１に取り付けられる。この際、トリガーキー５７の裏面上に設けられている接点は、フレキシブル基板５３の接点５４と対向して配置され、トリガーキー５９の裏面上に設けられている接点は、フレキシブル基板５３の接点５５と対向して配置されるようにする。
【００４３】
そして、通常の状態では、トリガーキー５７の裏面上に設けられている接点とフレキシブル基板５３の接点５４との間に隙間が空くように、トリガーキー５７はスカート部５８を介して保持されるとともに、トリガーキー５９の裏面上に設けられている接点とフレキシブル基板５３の接点５５との間に隙間が空くように、トリガーキー５９はスカート部６０を介して保持される。
【００４４】
この状態で、上からの操作によりスキャナにトリガーをかける場合、トリガーキー５７を上から押下することにより、スカート部５８が湾曲し、トリガーキー５７の裏面上に設けられている接点とフレキシブル基板５３の接点５４とが接触する。トリガーキー５７の裏面上に設けられている接点とフレキシブル基板５３の接点５４とが接触すると、スキャナにトリガーがかかり、情報の読み取りが行われる。
【００４５】
また、横からの操作によりスキャナにトリガーをかける場合、トリガーキー５９を横から押下することにより、スカート部６０が湾曲し、トリガーキー５９の裏面上に設けられている接点とフレキシブル基板５３の接点５５とが接触する。トリガーキー５９の裏面上に設けられている接点とフレキシブル基板５３の接点５５とが接触すると、スキャナにトリガーがかかり、情報の読み取りが行われる。
【００４６】
以上説明したように、本発明の第４実施例に係わるスキャナ一体型携帯端末装置によれば、トリガーキー５７、５９をパネル６１を用いてカバー５１に取り付けるようにしたので、トリガーキー５７、５９がカバー５１から剥がれ落ちることを防止できる。また、スカート部５８、６０がパネル６１により保護されるので、トリガーキー５７、５９の使用寿命を伸ばすことができる。
【００４７】
なお、図４の実施例では、ゴムなどの弾性材料で形成されたシート状のキー保持部５６をパネルで固定して保護する例について説明したが、図３のメンブレンキーをパネルで固定して保護するようにしてもよい。
【００４８】
以上、本発明の実施例について説明したが、本発明は上述した実施例に限定されるものではなく、本発明の技術的思想の範囲内で他の様々の変更が可能である。例えば、上述した実施例では、トリガーキーがスキャナ一体型携帯端末装置の本体に取り付けられている例について説明したが、把手の付いているスキャナ一体型携帯端末装置では、把手の部分にトリガーキーを取り付けるようにしてもよい。また、スキャナそのものに適用することも可能である。
【００４９】
【発明の効果】
以上説明したように、本発明によれば、第１の方向及び第２の方向のいずれの方向からも押下可能な押下手段を一体的に設けることにより、１つの押下手段によって、複数の任意の方向からの押下が可能となり、装置の小型軽量化を可能とすることができる。
【００５０】
また、本発明の一態様によれば、押下手段に対して接点手段を一体的に設けることにより、１つの押下手段と１つの接点手段とによって、複数の任意の方向からの押下を可能とするとともに、その押下によるオンオフ情報を得ることができ、より一層の装置の小型軽量化を可能とすることができる。
【００５１】
また、本発明の一態様によれば、押下手段をゴムキーとし、接点手段をフレキシブル基板とすることにより、ゴムキーとフレキシブル基板とを曲げることによって、第１の方向及び第２の方向のいずれの方向からも押下可能とすることができ、その押下によるオンオフ情報を簡単な構成で得ることができる。
【００５２】
また、本発明の一態様によれば、折り曲げ可能な押下手段に第１の押下部と第２の押下部とを形成し、第１の押下部と第２の押下部との向きが異なるように、前記押下手段を折り曲げることにより、１つの押下手段によって、複数の任意の方向からの押下を可能とするとともに、装置の小型軽量化が可能となり、一体的になった第１の押下部と第２の押下部とを一度に形成可能として、コストを削減することができる。
【００５３】
また、本発明の一態様によれば、第１の押下部と第２の押下部とがドーム状に形成されているシートを有するメンブレンキーとすることにより、１つのメンブレンキーを折り曲げることによって、複数の任意の方向からの押下を可能とするとともに、その押下によるオンオフ情報を簡単な構成で得ることができる。
【００５４】
また、本発明の一態様によれば、第１の押下部を固定手段の第１の開孔部にはめ込み、第２の押下部を固定手段の第２の開孔部にはめ込んで、押下手段を装着手段に装着することにより、押下手段が装着手段から剥がれ落ちたりすることを防止できるとともに、押下手段を固定手段で保護することが可能となる。
【００５５】
また、本発明の一態様によれば、第１の方向及び第２の方向のいずれの方向からも押下可能な押下手段を備えることにより、複数の任意の方向からの押下によって情報読み取り手段にトリガーをかけることができ、装置の小型軽量化を可能とすることができる。
【図面の簡単な説明】
【図１】本発明の第１実施例に係るスキャナ一体型携帯端末装置の概略構成を示す斜視図である。
【図２】図２（Ａ）は本発明の第２実施例に係るスキャナ一体型携帯端末装置の概略構成を示す斜視図、図２（Ｂ）は図２（Ａ）のＸ−Ｘ線で切断した断面図である。
【図３】図３（Ａ）は本発明の第３実施例に係るスキャナ一体型携帯端末装置の概略構成を示す斜視図、図３（Ｂ）は図３（Ａ）のＹ−Ｙ線で切断した断面図である。
【図４】本発明の第４実施例に係るスキャナ一体型携帯端末装置の概略構成を示す分解図である。
【図５】図５（Ａ）は従来のスキャナ一体型携帯端末装置の概略構成を示す斜視図、図５（Ｂ）は図５（Ａ）のＺ−Ｚ線で切断した断面図である。
【図６】図６（Ａ）は従来のスキャナ一体型携帯端末装置の概略構成を示す斜視図、図６（Ｂ）は図６（Ａ）のＵ−Ｕ線で切断した断面図である。
【符号の説明】
１、１１、３１、５１  カバー
２、１２、５６  キー保持部
３  入力キー
４、５、６、１４、１６、３３、３４、５７、５９  トリガーキー
７  スキャナ読み取り口
８、５２  液晶表示パネル
１３、１５、５８、６０  スカート部
１７、５３  ブレキシブル基板
１８、１９、２０、２１、３７、３８、３９、４０、５４、５５  接点
３２、３５、３６  シート
６１  パネル
６２、６３  開孔部
【図１】
0003917232.tif 000002
【図２】
0003917232.tif 000003
【図３】
0003917232.tif 000004
【図４】
0003917232.tif 000005
【図５】
0003917232.tif 000006
【図６】
0003917232.tif 000007